(57)【要約】【課題】極めて簡単な機構で非常時に確実にドアを開く。【解決手段】防火ドアは、ドア枠１と、ドア２と、ドア２に固定されてドア２を閉位置に係止するラッチボルト６を内蔵するシリンダーケース５と、ドア表面に配置されて、ラッチボルト６の係止状態を解除する室内側ハンドル１０及び屋外側ハンドル２０と、ドア２を弾性的に閉じるクローザー８とを備える。屋外側ハンドル２０は、ドア表面に対して傾動自在に連結してなるレバー２１であって、ラッチボルト６の係止状態を解除するロック解除機構２３を介してラッチボルト６に連結している。室内側ハンドル１０は、ドア表面に対して出入り自在に連結してなる押し部１１で、ラッチボルト６の係止状態を解除するロック解除機構１３を介してラッチボルト６に連結している。防火ドアは、屋外側ハンドル２０のレバー２１を引っ張り、あるいは室内側ハンドル１０の押し部１１を押してドア２を開くようにしている。【選択図】図６
2009197492.tif 000002
【特許請求の範囲】
【請求項１】
建物に固定されるドア枠(1)と、このドア枠(1)に建物の屋外側に開くことができるように、側縁を蝶番(3)で連結しているドア(2)と、このドア(2)に固定されてドア(2)からドア枠(1)の係止孔(7)に向かって突出して、ドア(2)を閉位置に係止するラッチボルト(6)を内蔵するシリンダーケース(5)と、ドア表面に配置されて、シリンダーケース(5)のラッチボルト(6)の係止状態を解除する室内側ハンドル(10)及び屋外側ハンドル(20)と、前記ドア(2)を弾性的に閉じる方向に付勢するクローザー(8)とを備える防火ドアであって、
前記屋外側ハンドル(20)が、左右の片側を垂直な回転軸(22)を中心としてドア表面に対して傾動自在に連結してなる水平方向に伸びるレバー(21)であって、このレバー(21)の片側がドア(2)から引き出し方向に移動されて、ラッチボルト(6)の係止状態を解除するロック解除機構(23)を介してラッチボルト(6)に連結しており、
前記室内側ハンドル(10)は、全体又は片側がドア表面に対して出入り自在に連結してなる押し部(11)で、この押し部(11)が押し込まれてラッチボルト(6)の係止状態を解除するロック解除機構(13)を介してラッチボルト(6)に連結しており、
前記屋外側ハンドル(20)のレバー(21)を引っ張り、あるいは室内側ハンドル(10)の押し部(11)を押して、ドア(2)を開くようにしてなる防火ドア。
【請求項２】
前記屋外側ハンドル(20)が、レバー(21)を、ラッチボルト突出側面(2A)に近い端部を中心に傾動できるようにドア(2)に連結している請求項１に記載される防火ドア。
【請求項３】
前記屋外側ハンドル(20)が、レバー(21)を、ラッチボルト突出側面(2A)から遠い端部を中心に傾動できるようにドア(2)に連結している請求項１に記載される防火ドア。
【請求項４】
前記室内側ハンドル(10)が、ラッチボルト突出側面(2A)から遠い端部を中心に傾動できるようにドア(2)に連結している押し部(11)である請求項１ないし３のいずれかに記載される防火ドア。
【請求項５】
前記ドア(2)が屋外側に凹部(29)を有し、この凹部(29)の開口部に屋外側ハンドル(20)のレバー(21)を配設している請求項１に記載される防火ドア。
【発明の詳細な説明】
【技術分野】
【０００１】
本発明は、防火ドアに関し、とくに、非常時に脱出しやすい防火ドアに関する。
【背景技術】
【０００２】
防火ドアは、非常時に安全に脱出できることが大切である。このことを実現する防火ドアは開発されている。（特許文献１参照）
【特許文献１】特開昭６１−２０７７７５号公報
【発明の開示】
【発明が解決しようとする課題】
【０００３】
特許文献１の防火ドアは、非常時にストッパーを解除して、バネの弾性力でドアを強制的に押し出す強制開き機構をドアの上縁に沿って固定している。この構造の防火ドアは、ドアを押し出す専用の機構を設けるので、構造が複雑になる欠点がある。とくに、ストッパを解除する機構を操作しやすい位置に配置することから、ストッパの解除レバーなどをドアの上縁に配置する強制開き機構に連結する必要があり取り付けにも手間がかかる欠点がある。また、非常時にしか使用されないストッパを解除するためのレバーなどを設けるので、建物のデザイン的にも好ましくない欠点がある。さらに、非常時にストッパを解除して、バネの弾性力でドアを押し出して開くので、地震などの非常時に、建物の歪みでバネがドア枠に当たって、バネがドアを開くよりも強くドアが固定されると、ストッパを解除してもドアを開くことができなくなる欠点がある。
【０００４】
本発明は、さらにこの欠点を解決することを目的に開発されたものである。本発明の重要な目的は、非常時に開くための専用の機構を設けることなく、極めて簡単な機構で非常時には確実にドアを開くことができる防火ドアを提供することにある。
【課題を解決するための手段】
【０００５】
本発明の防火ドアは、前述の目的を達成するために以下の構成を備える。
防火ドアは、建物に固定されるドア枠１と、このドア枠１に建物の屋外側に開くことができるように、側縁を蝶番３で連結しているドア２と、このドア２に固定されてドア２からドア枠１の係止孔７に向かって突出して、ドア２を閉位置に係止するラッチボルト６を内蔵するシリンダーケース５と、ドア表面に配置されて、シリンダーケース５のラッチボルト６の係止状態を解除する室内側ハンドル１０及び屋外側ハンドル２０と、ドア２を弾性的に閉じる方向に付勢するクローザー８とを備える。屋外側ハンドル２０は、左右の片側を垂直な回転軸２２を中心としてドア表面に対して傾動自在に連結してなる水平方向に伸びるレバー２１であって、このレバー２１の片側がドア２から引き出し方向に移動されて、ラッチボルト６の係止状態を解除するロック解除機構２３を介してラッチボルト６に連結している。室内側ハンドル１０は、全体又は片側がドア表面に対して出入り自在に連結してなる押し部１１で、この押し部１１が押し込まれてラッチボルト６の係止状態を解除するロック解除機構１３を介してラッチボルト６に連結している。防火ドアは、屋外側ハンドル２０のレバー２１を引っ張り、あるいは室内側ハンドル１０の押し部１１を押して、ドア２を開くようにしている。
【０００６】
本発明の請求項２の防火ドアは、屋外側ハンドル２０が、レバー２１を、ラッチボルト突出側面２Ａに近い端部を中心に傾動できるようにドア２に連結している。
【０００７】
本発明の請求項３の防火ドアは、屋外側ハンドル２０が、レバー２１を、ラッチボルト突出側面２Ａから遠い端部を中心に傾動できるようにドア２に連結している。
【０００８】
本発明の請求項４の防火ドアは、室内側ハンドル１０が、ラッチボルト突出側面２Ａから遠い端部を中心に傾動できるようにドア２に連結している押し部１１である。
【０００９】
本発明の請求項５の防火ドアは、ドア２が屋外側に凹部２９を有し、この凹部２９の開口部に屋外側ハンドル２０のレバー２１を配設している。
【発明の効果】
【００１０】
本発明の防火ドアは、非常時に開くための専用の機構を設けることなく、極めて簡単な機構で非常時には確実にドアを開くことができる特徴がある。それは、本発明の防火ドアが、室内側ハンドルを押し部とし、この押し部をロック解除機構を介してラッチボルトに連結しており、この押し部を押して、ラッチボルトの係止状態を解除してドアを開くからである。すなわち、本発明の防火ドアは、押し部をドアの開く方向に押してドアを開くので、ドアを開く方向に押される力を利用してラッチボルトの係止状態が解除される。すなわち、係止状態を解除するために余分な力を必要とせず、全ての力をドアを開く方向に押して、ラッチボルトの係止状態を解除できる。ただ、押し部の室内側ハンドルは、ドアを押し開くことはできるが、ドアを閉める方向に引っ張ることができない。本発明の防火ドアは、クローザーでドアを閉める方向に付勢しているので、押す程度を調整してドアの開き具合をコントロールできる。すなわち、クローザーと押し部とでバランスして、ドアの開度をコントロールできるからである。この構造は、たとえば両手で荷物を持ってドアを開くときにも極めて便利である。それは、押し部の室内側ハンドルを押してドアを開くことができるからである。
【００１１】
さらに、本発明は、室内側ハンドルを特別な構造とすることに加えて、屋外側ハンドルを傾動できるレバーとし、さらにこのレバーは、左右の片側を垂直な回転軸を中心としてドア表面に対して傾動自在にドアに連結し、さらに、ロック解除機構を介してラッチボルトに連結している。このレバーは、片側をドアから引き出し方向に移動して、ラッチボルトの係止状態を解除するようにしている。すなわち、屋外側ハンドルのレバーと、室内側ハンドルの押し部の両方が、ドアに対して垂直方向に移動して、ラッチボルトの係止状態を解除する。このため、屋外側ハンドルと室内側ハンドルがラッチボルトの係止状態を解除する機構を極めて簡単な機構としながら、非常時にはドアを確実に開くことができる特徴が実現する。
【発明を実施するための最良の形態】
【００１２】
以下、本発明の実施例を図面に基づいて説明する。ただし、以下に示す実施例は、本発明の技術思想を具体化するための防火ドアを例示するものであって、本発明は防火ドアを以下のものに特定しない。
【００１３】
さらに、この明細書は、特許請求の範囲を理解しやすいように、実施例に示される部材に対応する番号を、「特許請求の範囲」および「課題を解決するための手段の欄」に示される部材に付記している。ただ、特許請求の範囲に示される部材を、実施例の部材に特定するものでは決してない。
【００１４】
図１ないし図６、図９及び図１０に示す防火ドアは、建物に固定されるドア枠１と、このドア枠１に蝶番３を介して連結しているドア２とを備える。図のドア枠１は、所定の幅の袖部４を片側の縦枠に設けている。ドア枠１は、袖部４と反対側の側縁にドア２を蝶番３で連結している。袖部４には、ドア２との対向面にラッチボルト６を挿入してドア２を開かない閉位置に停止する係止孔７を設けている。さらに、図１のドア枠１は、インターホン４０と新聞受け４１を袖部４に設けている。
【００１５】
ドア２は、図４ないし図６、図９及び図１０に示すように、ドア枠１の係止孔７に向かって突出して、ドア２を閉位置に係止するラッチボルト６を内蔵するシリンダーケース５と、このシリンダーケース５のラッチボルト６の係止状態を解除する室内側ハンドル１０及び屋外側ハンドル２０とを備えている。室内側ハンドル１０は、ドア２の室内側に配置しており、屋外側ハンドル２０は、ドア２の屋外側に配置している。さらに、ドア２には、弾性的に閉じる方向に付勢するクローザー８を連結している。
【００１６】
シリンダーケース５は、ドア２内に水平姿勢に内蔵されて、ラッチボルト６を水平方向に突出させる。ラッチボルト６は、バネなどの弾性体（図示せず）で弾性的に突出する方向に付勢されている。弾性的に突出されるラッチボルト６は、ドア２を閉める状態で、ドア枠１の係止孔７に挿入されて、ドア２を開かない係止状態とする。ラッチボルト６は、ドア２の室内側に設けている室内側ハンドル１０、又はドア２の屋外側に設けている屋外側ハンドル２０を操作して、ドア２の係止状態が解除される。図６ないし図８に示すシリンダーケース５は、ラッチボルト６をドア２内に引き込んで、ドア２の係止状態を解除する構造としている。このシリンダーケース５は、ロッド状のラッチボルト６を引き込み方向に移動させて、係止孔７とラッチボルト６との係止状態を解除する。図１０ないし図１２に示すシリンダーケース５は、ラッチボルト６を、図の矢印Ｘで示すように、シリンダーケース５の外側開口部で回動させて、係止孔７との係止状態を解除する構造としている。このシリンダーケース５は、ラッチボルト６のロック機構（図示せず）を内蔵しており、このロック機構がラッチボルト６をロックする状態において、ラッチボルト６を図の実線で示すロック位置に保持してドア２を開かない係止状態とする。また、このシリンダーケース５は、ロック機構がラッチボルト６のロックを解除する状態において、ラッチボルト６を図の鎖線で示す非ロック位置に回動できる状態としてドア２の係止状態を解除する。このシリンダーケース５は、ドア２を閉める状態で、ドア枠１の係止孔７に挿入されるラッチボルト６がロック機構でロックされて、ドア２を開かない係止状態に保持する。また、このシリンダーケース５は、室内側ハンドル１０、又は屋外側ハンドル２０を操作して、ロック機構がラッチボルト６のロックを解除する状態において、ドア枠１の係止孔７に挿入されるラッチボルト６が非ロック位置に回動できる状態となって、ドア２の係止状態を解除する。ラッチボルト６は、ドアを開ける時には、図１０の鎖線で示す非ロック位置に回動されると共に、先端の傾斜面６Ａに沿って係止孔７の開口縁を移動させながら、シリンダーケース５内に弾性的に引き込まれて、この状態でドア２が開かれる。
【００１７】
屋外側ハンドル２０は、ドア２の外側に設けているレバーである。図４の正面図と図６の断面図、及び図１０の断面図に示すドア２は、屋外側に凹部２９を設け、この凹部２９の開口部に屋外側ハンドル２０のレバー２１を配設している。この構造は、レバー２１のドア表面からの突出量を少なくして、レバー２１の内側に指を入れてドア２をスムーズに開くことができる。図６と図１０のドア２は、ドア２の表面プレートを開口して、この開口部の表面側を凹部２９とする形状の凹部プレート２８で閉塞して、凹部プレート２８に傾動できるようにレバー２１を連結している。屋外側ハンドル２０は、水平方向に伸びるレバー２１で、このレバー２１は、左右の片側を垂直な回転軸２２を中心としてドア表面に対して傾動自在に連結している。図６において、レバー２１は右端を回転軸２２でドア２に連結している。さらに、図６のレバー２１は、ラッチボルト突出側面２Ａから遠い端部、図６において右端を中心に傾動できるようにドア２に連結している。また、図１０において、レバー２１は左端を回転軸２２でドア２に連結している。したがって、図１０のレバー２１は、ラッチボルト突出側面２Ａに近い端部、図１０において左端を中心に傾動できるようにドア２に連結している。
【００１８】
さらに、屋外側ハンドル２０のレバー２１は、ロック解除機構２３を介してラッチボルト６に連結している。図７に示すロック解除機構２３は、レバー２１の片側、図において左側がドア２から引き出すように引っ張られると、ラッチボルト６をドア２内に引き込んで、ラッチボルト６の係止状態を解除する。図１１に示すロック解除機構２３は、レバー２１の片側、図において右側がドア２から引き出すように引っ張られると、シリンダーケース５のロック機構を解除して、ラッチボルト６を回動できる状態として、ラッチボルト６の係止状態を解除する。
【００１９】
図６と図７のロック解除機構２３は、レバー２１の内側に連結している直動カム２４と、ラッチボルト６に設けている滑り面２５とで構成される。ラッチボルト６の滑り面２５は、直動カム２４に接触して駆動されて、ラッチボルト６をドア２の内側に移動させる。直動カム２４は、レバー２１が引っ張られると、ラッチボルト６をドア２の内側に引き込む方向に傾斜する傾斜面２４Ａを有する。このロック解除機構２３は、レバー２１が引っ張られると、傾斜面２４Ａが滑り面２５を滑って、ラッチボルト６をドア２内に引き込んでドア２の係止状態を解除する。
【００２０】
直動カム２４は、傾斜面２４Ａの後端、図６と図７において傾斜面２４Ａの上端に引き止めストッパ２４Ｂを設けている。引き止めストッパ２４Ｂは、ラッチボルト６の側面に当たって、レバー２１の引き出し位置を特定する。すなわち、引き止めストッパ２４Ｂがラッチボルト６に当たるまでレバー２１が引き出される。引き止めストッパ２４Ｂがラッチボルト６に当たる位置で、ラッチボルト６はドア２の側面から内側に引き込まれて、ドア２の係止状態を解除する。さらに、屋外側ハンドル２０のレバー２１は、バネ２６に弾性的に押し出されて、図６で示す位置に復帰する。レバー２１は、ストッパ２７が凹部プレート２８に当たって、図６で示す位置に停止される。
【００２１】
この屋外側ハンドル２０のレバー２１は、内側に手をかけて引き出されると、直動カム２４がラッチボルト６を引き込み方向に移動して、ラッチボルト６の係止状態を解除してドア２が開かれる。
【００２２】
図１０と図１１のロック解除機構２３は、レバー２１の内側に連結している駆動アーム３４と、シリンダーケース５に内蔵されるロック機構の操作部３５とで構成される。駆動アーム３４は、レバー２１の回転軸２２側の端部に、レバー２１の内側に突出して設けている。このロック解除機構２３は、レバー２１が引っ張られて、このレバー２１が回動軸２２を中心として、図１１の矢印Ａで示す方向に傾動すると、レバー２１の一端に連結している駆動アーム３４が、図１１の矢印Ｂで示す方向（図において右側方向）に傾動する。傾動する駆動アーム３４は、その先端部で、シリンダーケース５に内蔵されるロック機構の操作部３５を押圧して、図において右側方向に移動させる。シリンダーケース５に内蔵されるロック機構は、操作部３５が操作されてラッチボルト６のロック状態を解除する。この状態で、ラッチボルト６と係止孔７との係止状態が解除されて、ドア２を開くことができる状態となる。
【００２３】
さらに、図１１に示すレバー２１は、回転軸２２と反対側の端部に、引き止めストッパ３６を設けている。引き止めストッパ３６は、表面プレート３７の内面に当たって、レバー２１の引き出し位置を特定する。すなわち、引き止めストッパ３６が表面プレート３７に当たるまでレバー２１が引き出される。引き止めストッパ３６が表面プレート３７に当たる位置で、傾動アーム３４がロック機構の操作部３５を駆動して、ラッチボルト６のロック状態を解除する。さらに、屋外側ハンドル２０のレバー２１は、バネ２６に弾性的に押し出されて、図１０で示す位置に復帰する。レバー２１は、ストッパ２７が凹部プレート２８に当たって、図１０で示す位置に停止される。
【００２４】
この屋外側ハンドル２０のレバー２１は、内側に手をかけて引き出されると、駆動アーム３４がシリンダーケース５のロック機構を解除して、ラッチボルト６を回動できる状態として、ラッチボルト６の係止状態を解除してドア２が開かれる。
【００２５】
室内側ハンドル１０は、ドア表面に対して出入り自在に連結している押し部１１である。押し部は、全体が平行移動して、ドア表面に対して出入り自在に移動することもできるが、図６と図１０の押し部１１は、片側（図において左端）がドア表面に対して出入りできるようにドア２に連結している。図６と図１０に示す室内側ハンドル１０の押し部１１は、図の右端部を回転軸１２を介してドア表面に傾動できるように連結している。回転軸１２は、垂直姿勢、図６と図１０において紙面に直交する姿勢にあって、押し部１１を図において右端を中心に傾動できるようにドア２に連結する。さらに、図６と図１０の押し部１１は、ラッチボルト突出側面２Ａから遠い端部、図において右端を中心に傾動できるようにドア２に連結している。図示しないが、押し部は、図と反対の端部を中心として傾動できるようにドアに連結することもでき、また、ドア表面に対して平行移動してドア表面に出入りする構造とすることもできる。図６に示す室内側ハンドル１０の押し部１１は、全体を楕円形として、ドア２の表面から室内側に突出して配設している押しボタンである。押しボタンである押し部１１は、ドア表面から突出する部分を確実に押圧してドア２の係止状態を解除できる。図１０に示す室内側ハンドル１０の押し部１１は、全体を方形状として、ドア２の表面とほぼ同一平面に配設している押しプレートである。押しプレートである押し部１１は、ドアの表面をすっきりとした外観にできる。
【００２６】
さらに、室内側ハンドル１０の押し部１１も、ロック解除機構１３を介してラッチボルト６に連結している。図８に示すロック解除機構１３は、押し部１１の片側、図において左側がドア２に押し込まれると、ラッチボルト６をドア２内に引き込んで、ラッチボルト６の係止状態を解除する。図１２に示すロック解除機構１３は、押し部１１の片側、図において左側がドア２に押し込まれると、シリンダーケース５のロック機構を解除して、ラッチボルト６を回動できる状態として、ラッチボルト６の係止状態を解除する。
【００２７】
図６と図８のロック解除機構１３は、押し部１１の内側に連結している直動カム１４と、この直動カム１４に接触して直動カム１４でラッチボルト６をドア２の内側に移動させるラッチボルト６に設けている滑り面１５とで構成される。直動カム１４は、押し部１１が押し込まれると、ラッチボルト６をドア２の内側に引き込む方向に傾斜する傾斜面１４Ａを有する。このロック解除機構１３は、押し部１１が押し込まれると、傾斜面１４Ａが滑り面１５を滑って、ラッチボルト６をドア２内に引き込んでドア２の係止状態を解除する。
【００２８】
直動カム１４は、傾斜面１４Ａの後端、図８において傾斜面１４Ａの付け根部に押し止めストッパ１４Ｂを設けている。押し止めストッパ１４Ｂは、ラッチボルト６の側面に当たって、押し部１１の押し込み位置を特定する。すなわち、押し止めストッパ１４Ｂがラッチボルト６に当たるまで押し部１１が押し込まれる。押し止めストッパ１４Ｂがラッチボルト６に当たる位置で、ラッチボルト６はドア２の側面から内側に引き込まれて、ドア２の係止状態を解除する。さらに、室内側ハンドル１０の押し部１１は、バネ（図示せず）に弾性的に押し出されて、図６で示す位置に停止される。さらに、直動カム１４は、先端に係止ストッパ１４Ｃを設けており、この係止ストッパ１４Ｃがラッチボルト６の側面に係止されて、押し部１１の押出位置を特定している。
【００２９】
この室内側ハンドル１０の押し部１１が手で押し込まれると、直動カム１４がラッチボルト６をドア２内に引き込んで係止状態が解除され、さらにドア２が押されて開かれる。
【００３０】
図１０と図１２のロック解除機構１３は、押し部１１の内側に連結している駆動アーム１６と、シリンダーケース５に内蔵されるロック機構の操作部３５とで構成される。駆動アーム１６は、押し部１１の回転軸１２と反対側の端部に、押し部１１の内側に突出して設けている。このロック解除機構１３は、押し部１１が押し込まれて、この押し部１１が回動軸１２を中心として、図１２の矢印Ｃで示す方向に傾動すると、押し部１１の一端に連結している駆動アーム１６の先端部が、シリンダーケース５に内蔵されるロック機構の操作部３５を押圧して、図において右側方向に移動させる。シリンダーケース５に内蔵されるロック機構は、操作部３５が操作されてラッチボルト６のロック状態を解除する。この状態で、ラッチボルト６と係止孔７との係止状態が解除されて、ドア２を開くことができる状態となる。
【００３１】
さらに、図１２に示す室内側ハンドル１０の押し部１１は、バネ（図示せず）に弾性的に押し出されて、図１０で示す位置に復帰する。押し部１１は、回転軸２２と反対側の先端に係止ストッパ１７を設けており、この係止ストッパ１７を表面プレート１８の内面に当接させて、図１０で示す位置に停止される。
【００３２】
この室内側ハンドル１０の押し部１１が手で押し込まれると、駆動アーム１６がシリンダーケース５のロック機構を解除して、ラッチボルト６を回動できる状態として、ラッチボルト６の係止状態が解除され、さらにドア２が押されて開かれる。
【００３３】
クローザー８は、バネや流体圧による弾性閉機構（図示せず）を内蔵する本体３０と、この本体３０から突出され、かつ弾性閉機構に連結されてドア２を弾性的に閉位置に移動させる弾性アーム３１とを備える。クローザー８は、本体３０と弾性アーム３１をドア２とドア枠１に連結して、ドア２を弾性的に閉方向に付勢する。このクローザー８には、既に市販され、またこれから開発される機構であって、開かれたドア２を閉方向に付勢する全てのものを使用できる。
【図面の簡単な説明】
【００３４】
【図１】本発明の一実施例にかかる防火ドアを屋外側から見た正面図である。
【図２】図１に示す防火ドアを室内側から見た正面図である。
【図３】図１に示す防火ドアの水平断面図である。
【図４】ドアに設けた屋外側ハンドルの拡大正面図である。
【図５】ドアに設けた室内側ハンドルの拡大正面図である。
【図６】図４に示すドアのＡ−Ａ線断面図である。
【図７】図６に示すドアの屋外側ハンドルを引いた状態を示す断面図である。
【図８】図６に示すドアの室内側ハンドルを押した状態を示す断面図である。
【図９】本発明の他の実施例にかかる防火ドアを室内側から見た正面図である。
【図１０】図９に示すドアの水平断面図である。
【図１１】図１０に示すドアの屋外側ハンドルを引いた状態を示す断面図である。
【図１２】図１０に示すドアの室内側ハンドルを押した状態を示す断面図である。
【符号の説明】
【００３５】
１…ドア枠
２…ドア                    ２Ａ…ラッチボルト突出側面
３…蝶番
４…袖部
５…シリンダーケース
６…ラッチボルト            ６Ａ…傾斜面
７…係止孔
８…クローザー
１０…室内側ハンドル
１１…押し部
１２…回転軸
１３…ロック解除機構
１４…直動カム              １４Ａ…傾斜面
１４Ｃ…押し止めストッパ
１４Ｂ…係止ストッパ
１５…滑り面
１６…駆動アーム
１７…係止ストッパ
１８…表面プレート
２０…屋外側ハンドル
２１…レバー
２２…回転軸
２３…ロック解除機構
２４…直動カム              ２４Ａ…傾斜面
２４Ｂ…引き止めストッパ
２５…滑り面
２６…バネ
２７…ストッパ
２８…凹部プレート
２９…凹部
３０…本体
３１…弾性アーム
３４…駆動アーム
３５…操作部
３６…引き止めストッパ
３７…表面プレート
４０…インターホン
４１…新聞受け
【図１】
2009197492.tif 000003
【図２】
2009197492.tif 000004
【図３】
2009197492.tif 000005
【図４】
2009197492.tif 000006
【図５】
2009197492.tif 000007
【図６】
2009197492.tif 000008
【図７】
2009197492.tif 000009
【図８】
2009197492.tif 000010
【図９】
2009197492.tif 000011
【図１０】
2009197492.tif 000012
【図１１】
2009197492.tif 000013
【図１２】
2009197492.tif 000014